(57)【要約】【課題】  円弧状の側面を備えた半円筒型カートンを構成しつつ、被包装物を収納する空間は周縁に隙間を生じさせないようにすること【解決手段】  半円筒型カートン１は、一枚のブランクシート２を折り曲げて半円筒状の外箱１０と、外箱内に配置される内箱２０を有し、外箱は、半円弧状の外周面からなる前面１１と、平坦面からなる背面１２と、背面に繋がり折り曲げられた半円形の底面１３及び天面１４を備える。内箱は、底面２１及び天面２２が台形状の角筒に形成され、角筒の側面を構成する４つの面の内の一つは、外箱の背面が兼用し、残りの３つの面は、背面の対面となる平面部２３と、それら背面と平面部とをつなぐ２つの斜面部２４から構成する。底面及び天面と、側面との接続部分は直線となるので、ブランクシートにおいて繋がった状態にし、糊しろ片等を用いて接着等して隙間無く綺麗に接続することができる。【選択図】        図１
2018114984.tif 000002
【特許請求の範囲】
【請求項１】
一枚のブランクシートから構成されるカートンであって、
半円筒状の外箱と、前記外箱の内部に配置される内箱とを備え、
前記外箱は、半円弧状の外周面からなる前面と、その前面の周方向の両端に接続される背面と、前記前面と前記背面で構成される筒体の両端の開口部に配置される半円形状の底面及び天面とを有し、
前記ブランクシートにおいて前記背面の一方の長辺と前記前面が繋がった状態にあり、
前記底面及び天面は、それぞれ前記前記ブランクシートにおいて前記背面の両短辺に繋がった状態にあり、
前記内箱は、角筒状の側面と、その側面の両端の開口部位に配置される内箱用底面及び内箱用天面とを有し、
前記角筒状の側面の一部は前記背面で兼用し、
前記内箱用底面の各辺は、前記角筒状の側面の各辺に接続された状態で前記開口部位を閉塞し、
前記内箱用天面の各辺は、前記角筒状の側面の各辺に接続された状態で前記開口部位を閉塞し、
前記内箱用底面と前記底面が重なった状態で接着されており、
前記内箱用天面と前記天面が重なった状態で接着されていることを特徴とする半円筒型カートン。
【請求項２】
前記角筒状は四角筒状であり、前記内箱用底面と前記内箱用天面は台形状からなり、
前記角筒状の側面は、前記背面と対向する平面部と、それら前記背面と前記平面部とをつなぐ２つの斜面部とから構成され、
前記ブランクシートにおいて、前記背面の他方の長辺側に、２つのうち一方の前記斜面部、前記平面部、他方の前記斜面部の順に繋がった状態に配置されていることを特徴とする請求項１に記載の半円筒型カートン。
【請求項３】
前記底面及び前記天面の少なくとも一方は、前記前面の前記両端の開口部の端縁よりも前記外箱の内側に位置するように構成したことを特徴とする請求項１または２に記載の半円筒型カートン。
【請求項４】
前記前面及び前記背面の前記底面側の端縁には、同一平面上で突出する脚部を備え、
前記脚部は、前記ブランクシートにおいて前記前面及び前記背面と繋がった状態であることを特徴とする請求項１から３のいずれか１項に記載の半円筒型カートン。
【請求項５】
前記天面と前記背面との接続部分の少なくとも一部に、開封用のミシン目を備えることを特徴とする請求項１から４のいずれか１項に記載の半円筒型カートン。
【請求項６】
半円筒状の外箱と、前記外箱の内部に配置される内箱を備えた半円筒型カートンのためのブランクシートであって、
前記外箱を構成する要素である矩形状の背面と、半円弧状の前面用の矩形部位と、底面と、天面は、前記背面の一方の長辺に前記矩形部位の一辺が繋がり、前記背面の両短辺にそれぞれ半円形状の前記底面及び前記天面が繋がった状態に配置され、
前記内箱を構成する要素として、前記背面の他方の長辺側に、一つの斜面部用の第一矩形部位、平面部、別の斜面部用の第二矩形部位の順に繋がった状態に配置されるとともに、前記平面部の両短辺に、内箱用底面と内箱用天面が繋がった状態に配置されることを特徴とするブランクシート。
【請求項７】
前記背面の長辺の長さより、前記矩形部位の前記一辺の長さを長くしたこと特徴とする請求項６に記載のブランクシート。
【発明の詳細な説明】
【技術分野】
【０００１】
本発明は、半円筒型カートン及びブランクシートに関するものである。
【背景技術】
【０００２】
例えば、菓子、おもちゃ、雑貨などを収容する包装箱の一種に、展開状態のブランクシートを折り曲げて組み立てるカートンがある。係るカートンの外観形状は、立方体形状のものが多いが、例えば、店頭陳列効果を高めるためなどを目的とし、非立方体形状の外観形状にしたものもある。
【０００３】
例えば、特許文献１に開示された側面に湾曲面を備えたカートンがある。係る特許文献１に開示されたカートン（Ａ）は、その天面（Ａ５）及び底面（Ａ６）を蒲鉾形状に形成し、その前面（Ａ１）から左右側面（Ａ２，Ａ３）に渡って蒲鉾形に湾曲させ、背面（Ａ４）には切り込み線（１）及び開封つまみ片（２）を形成し、この切り込み線（１）と交差して連続するジッパー（３）として、板紙（Ｐ）の表裏面から厚さ方向中間位置に至る平行な半切れ線（３ａ，３ｂ）間を層間剥離させる構造となっている。なお、括弧内の数字及びアルファベットは、特許文献１内で用いられている符号である。この特許文献１における蒲鉾形状は、前面（Ａ１）から左右側面（Ａ２，Ａ３）に亘って蒲鉾形に湾曲させと記載しているように、直方体の４角のうちの２カ所をＲ面取りした形状となり、ブランクシートでは、平坦部分を構成する前面（Ａ）に天面（Ａ５）及び底面（Ａ６）を連続させ、それぞれの境界で折り曲げるようにしている。
【０００４】
また、特許文献２に開示された包装用容器（１）は、断面多角形状の箱体であり、底板（２）と、平板（３ａ）及び手前，奥の斜板（３ｂ，３ｃ）からなる天板（３）と、底板（２）と天板（３）との間に立設された左右の立板（４ａ，４ｂ）及び奥，手前の立板（５ａ，５ｂ）と、を有して構成される。これにより断面が六角形の包装用容器となる。
【先行技術文献】
【特許文献】
【０００５】
【特許文献１】特開２００２−２２５８５６号公報
【特許文献２】特開２００８−２３９２２３号公報
【発明の概要】
【発明が解決しようとする課題】
【０００６】
特許文献１に開示されたカートンは、外周縁が湾曲している左右側面（Ａ２，Ａ３）と、天面（Ａ５）及び底面（Ａ６）との間は、例えば糊しろ片で接着一体化することはできず、両者の間に隙間を生じてしまう。そのため、カートンの内外空間が隙間を介して繋がるので、例えばカートン内部に外部の塵・埃等が進入するおそれがあり好ましくない。
【０００７】
一方、特許文献２に開示された包装用容器は、隣接するフラップ同士の接触部位は直線のため、各接続部位に糊しろ片を設けることで容器を密封することができる。しかし、外観形状を、湾曲面などの非線形を有するようにすることができず、硬いイメージが出て、ディスプレイ効果が発揮しない。
【課題を解決するための手段】
【０００８】
上述した課題を解決するために、本発明の半円筒型カートンは、（１）一枚のブランクシートから構成されるカートンであって、半円筒状の外箱と、前記外箱の内部に配置される内箱とを備え、前記外箱は、半円弧状の外周面からなる前面と、その前面の周方向の両端に接続される背面と、前記前面と前記背面で構成される筒体の両端の開口部に配置される半円形状の底面及び天面とを有し、前記ブランクシートにおいて前記背面の一方の長辺と前記前面が繋がった状態にあり、前記底面及び天面は、それぞれ前記前記ブランクシートにおいて前記背面の両短辺に繋がった状態にあり、前記内箱は、角筒状の側面と、その側面の両端の開口部位に配置される内箱用底面及び内箱用天面とを有し、前記角筒状の側面の一部は前記背面で兼用し、前記内箱用底面の各辺は、前記角筒状の側面の各辺に接続された状態で前記開口部位を閉塞し、前記内箱用天面の各辺は、前記角筒状の側面の各辺に接続された状態で前記開口部位を閉塞し、前記内箱用底面と前記底面が重なった状態で接着されており、前記内箱用天面と前記天面が重なった状態で接着されているようにした。
【０００９】
本発明によれば、外箱の側面が半円筒形状となるため、カートンの外観形状が湾曲面を含む非線形を有し、優しさ、優雅さ、高級感等を醸し出すことができる。内箱は、半円筒型カートンに収納する被包装物の収納空間となる。当該内箱は、角筒状の側面を備えるので、その側面を構成する各面は全て平面となる。よって、当該側面と、内箱用底面及び内箱用天面との接続部位は全て直線状となり、例えば、ブランクシートにおいてある一辺同士を繋がった状態にすることができ、また、ブランクシートを折曲げて組み立てた状態で、側面の各辺と、それに隣接する内箱用天面或いは内箱用天面の端縁を、糊しろ片等を用いて接着等して隙間無く綺麗に接続することができ、密封できる。なお、ここで言う「密封」は、空気の流入ができない気密性を要求するものではなく、例えば、内箱の側面の端縁に隙間・開口があって収納された被包装物が外から見えたり、塵埃等が進入したりすることがない程度に閉塞している状態を言う。そして、係る構成の半円筒型カートンを、一枚のブランクシートから構成できるので、簡単に組立・製造することができる。
【００１０】
本発明では、一枚のブランクシートにより上述した外箱と内箱の構成要素を備えるものが構成されていれば良く、例えば別の付属物をさらに付加したものも含むものである。また、側面と底面と天面は、半円筒型カートンを置いた状態における天地の向きを特定するものではなく、また、置いた状態における姿勢に基づく呼称ではなく、筒状体の側面すなわち湾曲面を含む周方向の部分が側面であり、その側面の両端に配置される底面の一方を便宜上天面と称するものである。
【００１１】
（２）前記角筒状は四角筒状であり、前記内箱用底面と前記内箱用天面は台形状からなり、前記角筒状の側面は、前記背面と対向する平面部と、それら前記背面と前記平面部とをつなぐ２つの斜面部とから構成され、前記ブランクシートにおいて、前記背面の他方の長辺側に、２つのうち一方の前記斜面部、前記平面部、他方の前記斜面部の順に繋がった状態に配置されているようにするとよい。このようにすると、半円筒状の外箱の内部空間内に、効率よく内箱を配置することができ、内箱の容積も広くすることができるのでよい。さらに内箱の形状・構造も簡単となるので良い。また、好ましくは、内箱の平面部と、両斜面部との境界部分、すなわち、平面部の両長辺が、外箱の前面の内側に接触するように構成すると、外箱の外形状が安定するので良い。
【００１２】
（３）前記底面及び前記天面の少なくとも一方は、前記前面の前記両端の開口部の端縁よりも前記外箱の内側に位置するように構成するとよい。このようにすると、底面及びまたは天面は、前面の内面に接するようになり、仮に底面や天面の周縁側が湾曲等して前面の端縁側に位置するようなことがあっても、当該端縁の外側にまで位置して隙間が生じるようなことがなく、綺麗な包装形態を維持できるのでよい。
【００１３】
（４）前記前面及び前記背面の前記底面側の端縁には、同一平面上で突出する脚部を備え、前記脚部は、前記ブランクシートにおいて前記前面及び前記背面と繋がった状態とするとよい。このようにすると、半円筒型カートンを陳列等する際の脚となり、底面を下にして起立させた姿勢を安定して採ることができるので良い。さらに、底面が設置面から離れ、見た目もインパクトがあって良い。例えば、内箱に収納する被包装物が、菓子類などとすると、脚付きで今までに無い容器形状となり、高級感が出て、菓子自体が高級・特別感が出て良い。しかも、係る脚部も一枚のブランクシートから構成することができるので良い。
【００１４】
（５）前記天面と前記背面との接続部分の少なくとも一部に、開封用のミシン目を備えるようにするとよい。天面と背面との接続部分は、ブランクシートにおいて繋がっている部分であるので、例えば、組立に際し接着するための糊しろ片なども存在せず当該シートが一枚のみ存在している。よって、ミシン目を破断することで、簡単に半円筒型カートンを開放できるので好ましい。
【００１５】
本発明に係るブランクシートは、（６）半円筒状の外箱と、前記外箱の内部に配置される内箱を備えた半円筒型カートンのためのブランクシートであって、前記外箱を構成する要素である矩形状の背面と、半円弧状の前面用の矩形部位と、底面と、天面は、前記背面の一方の長辺に前記矩形部位の一辺が繋がり、前記背面の両短辺にそれぞれ半円形状の前記底面及び前記天面が繋がった状態に配置され、前記内箱を構成する要素として、前記背面の他方の長辺側に、一つの斜面部用の第一矩形部位、平面部、別の斜面部用の第二矩形部位の順に繋がった状態に配置されるとともに、前記平面部の両短辺に、内箱用底面と内箱用天面が繋がった状態に配置されるように構成する。
【００１６】
（７）前記背面の長辺の長さより、前記矩形部位の前記一辺の長さを長くするとよい。このようにすると、一辺の長さが長い矩形部位の当該一辺の両端の少なくとも一方は、背面の長辺よりも外側に位置する。よって、係るブランクシートを組み立てると、（３）に記載する半円筒型カートンのように、底面及び天面の少なくとも一方を、前面の両端の開口部の端縁よりも外箱の内側に位置するように構成することができる。
【発明の効果】
【００１７】
本発明によれば、円弧状の側面を備えた半円筒型カートンを構成しつつ、被包装物を収納する空間は周縁に隙間を生じさせないようにすることができる。
【図面の簡単な説明】
【００１８】
【図１】（ａ）は本発明に係る半円筒型カートンの第一実施形態を構成するための展開状態のブランクシートの一例を示す図であり、（ｂ），（ｃ）はその半円筒型カートンの第一実施形態を示す斜視図である。
【図２】（ａ）は内箱のみを組み立てた状態を示す斜視図であり、（ｂ）はその一部破談図であり、（ｃ）は開封した状態を示す図であり、（ｄ）は開封した状態の別の形態を示す図である。
【図３】（ａ）は本発明に係る半円筒型カートンの第二実施形態を構成するための展開状態のブランクシートの一例を示す図であり、（ｂ），（ｃ）はその半円筒型カートンの第二実施形態の要部を示す斜視図である。
【図４】第二実施形態の開封した状態を示す図である。
【発明を実施するための形態】
【００１９】
以下、本発明の好適な実施形態について図面に基づき、詳細に説明する。なお、本発明は、これに限定されて解釈されるものではなく、本発明の範囲を逸脱しない限りにおいて、当業者の知識に基づいて、種々の変更、修正、改良を加え得るものである。
【００２０】
図１，図２は、本発明に係る半円筒型カートンの第一実施形態を説明する図である。図１（ｂ），（ｃ）に示すように、半円筒型カートン１は、半円筒状の外箱１０と、外箱１０内に配置される内箱２０を備えた二重箱構造としている。この二重箱構造の半円筒型カートン１は、図１（ａ）に示す一枚のブランクシート２を適宜折り曲げて組み立てるようにしている。内箱２０が、被包装物を収納する空間となる。被包装物は、例えば菓子類などである。
【００２１】
外箱１０は、半円弧状の外周面からなる前面１１と、平坦面からなる背面１２と、半円形の底面１３及び天面１４を備える。前面１１と背面１２が周方向でつながって筒状の側面を構成し、その側面の上下両端の開口部分にそれぞれ底面１３と天面１４を配置して塞ぐ。図１（ａ）に示すように、前面１１と背面１２とは、一枚のブランクシート２において背面１２の一方（図では右側）の長辺と前面１１の一辺が繋がった状態にある。ブランクシート２において、前面１１の当該一辺の対辺には、糊しろ片１５が繋がった状態に配置されている。この糊しろ片１５は、半円筒型カートン１の組み立て時において、背面１２の他方の長辺側（ブランクシート２における前面１１との非連続側）の表面に接着された状態になる。これにより、上述したように半円弧状に湾曲された前面１１と、平坦な背面１２とが周方向で繋がった状態になる。
【００２２】
半円形の底面１３及び天面１４は、その直径が背面１２の短辺の長さと等しく、ブランクシート２において、当該直径の部分で背面１２のそれぞれの短辺と繋がった状態にある。半円筒型カートン１の組み立ての際には、当該繋がった背面１２の短辺の部分で折り曲げて、底面１３及び天面１４を９０度立ち上げる。これにより、底面１３及び天面１４の円弧状の外周縁は、前面１１に接する状態になる。さらに後述するように、底面１３及び天面１４は、内箱２０の所定位置に接着され、当該９０度立ち上げた状態を安定して保持する。
【００２３】
内箱２０は、底面２１及び天面２２が台形状の角筒に形成され、また、角筒の側面を構成する４つの面の内の一つは、外箱１０の背面１２が兼用し、残りの３つの面は、その背面１２の対面となる平面部２３と、それら背面１２と平面部２３とをつなぐ２つの斜面部２４から構成する。これら各部は、ブランクシート２において、背面１２側から順に、斜面部２４，平面部２３，斜面部２４の順に、互いの長辺が繋がった状態に配置する。ブランクシート２において背面１２と繋がっていない斜面部２４には、平面部２３と非接続の長辺に糊しろ片２５をつなげて配置するレイアウトをとる。さらに、平面部２３の一対の短辺には、それぞれ底面２１及び天面２２の上辺が繋がった状態に配置する。底面２１及び天面２２は、等脚台形の同一形状からなり、下辺の長さは背面１２の短辺の長さと等しくし、斜辺の長さは斜面部２４の短辺の長さと等しくしている。さらに、斜面部２４の両短辺には、それぞれ補助フラップ２６をブランクシート２において繋がった状態に配置する。補助フラップ２６は、台形状であって、底辺側を斜面部２４とつなげる。展開状態のブランクシート２において、補助フラップ２６の斜辺と、底面２１及び天面２２の斜辺は、オーバーラップすることなく沿うように位置する。
【００２４】
展開状態のブランクシート２において、平面部２３，斜面部２４の長辺の部分で折り曲げ、一方の斜面部２４に繋がった状態の糊しろ片２５が、外箱１０と兼用の背面１２の内面であって、一方の長辺に沿った位置に接着された状態にする。これにより、背面１２，斜面部２４，平面部２３，斜面部２４が周方向で繋がった状態になり、内箱２０の側面を構成する。
【００２５】
さらにこの内箱２０の側面の両端開口部位を覆うように、補助フラップ２６と底面２１及び天面２２を折り畳む。このとき、補助フラップ２６側を内側にし、底面２１及び天面２２が外側に位置するようにする。さらに、補助フラップ２６の外面、すなわち、底面２１及び天面２２と接触する側の面には、接着剤が塗布された状態となり、上記の折り畳んだ状態では、底面２１及び天面２２は、それぞれ対応する補助フラップ２６と接着された状態となる。上述したように、底面２１及び天面２２の斜辺の長さと斜面部２４の短辺の長さが等しく、底面２１及び天面２２の下辺の長さと背面１２の短辺の長さが等しくしたため、内箱２０の両端開口部位の内周面形状と、底面２１及び天面２２の外周面形状が符合し、当該接着により底面２１及び天面２２が、内箱２０の両端開口部位に符合し隙間なく閉塞した状態となる。すなわち、底面２１及び天面２２と、平面部２３とは直接繋がっているため、折り曲げられた両者の境界部分で隙間は生じない。一方、底面２１及び天面２２と、斜面部２４とは直接つながっていないものの、当該斜面部２４の短辺に直接繋がっている補助フラップ２６と底面２１及び天面２２が接着一体化しているため、斜面部２４の端縁においても隙間は生じない。よって、内箱２０の両端開口部位の輪郭を形成する台形の４辺のうちの３辺（上辺と両斜辺）では、隙間の無い状態となる。
【００２６】
一方、内箱２０の両端開口部位の輪郭を形成する残りの一辺である背面１２の短辺と、底面２１及び天面２２のフリー状態の底辺との間は、近接・接触するものの直接繋がってはいない。そこで本実施形態では、図２（ａ），（ｂ）に示すように内箱２０を組み立てた状態から、背面１２の短辺部分で折り曲げて外箱１０の底面１３及び天面１４を立ち上げ、それぞれ内箱２０の底面２１及び天面２２の表面に接触させるとともに、接着剤を介して接着一体化する。これにより、背面１２の短辺と、底面２１及び天面２２の底辺との間に隙間が形成されたとしても、オーバーラップした状態の底面１３及び天面１４によって隙間が生じない。よって、内箱２０は閉塞され、外部からの異物の進入を阻止することができ、また、内箱２０内に収容した内容物の外部への流出も確実に阻止することができる。
【００２７】
さらに本実施形態では、背面１２の一対の短辺のうち、天面１４に繋がる側に、半円弧に沿ってミシン目１６を形成する。ミシン目１６の両端は、背面１２の短辺に接している。そして半円筒型カートン１を開封するに際し、このミシン目１６に沿って切断する。具体的には、例えば、ミシン目１６と背面１２の短辺で囲まれる半円形の領域１７を、ユーザが親指等で内部に押し込むことでミシン目１６が破断され、背面１２には当該領域１７の部分が開口する。そして、ユーザは、その半円形の領域１７を半円筒型カートン１内に押し込んだ状態のまま当該領域１７と天面１４，２２を挟み、背面１２から離反するように上方に持ち上げることで、天面１４と背面１２との接続部分（背面１２の短辺）を切断し、図２（ｃ）に示すように半円筒型カートン１の上方部位を開放する。この切断される天面１４と背面１２の接続部分にもミシン目を設けて置くと、簡単かつスムーズに切断できるので良い。この場合、当該ミシン目を形成する部位は、領域１７の外側とするとよい。
【００２８】
また、本実施形態では、例えば、上述したように天面１４を背面１２から切断して開くと、内箱２０の天面２２も天面１４と一対となって開く。このとき、例えば図２（ｃ）に示すように 補助フラップ２６が天面２２から剥離して、内箱２０の開口部位に残るようにしても良いし、図２（ｄ）に示すように補助フラップ２６は、開封時に天面２４と一緒に開くようにしても良い。後者のようにするためには、例えば補助フラップ２６が斜面部２４から切り離されやすくするために、両者の境界部分にミシン目を設けると良い。
【００２９】
図３は、本発明に係る半円筒型カートンの第二実施形態を説明する図である。本実施形態は、上述した第一実施形態を基本とし、外箱１０の底面１３・天面１４側の部分を改良している。
【００３０】
具体的には、底面１３及び天面１４の位置を、前面１１の両端縁１１ａよりも奥側に位置させ、底面１３及び天面１４の周縁が、前面１１の内面１１ｂに接するようにした。これにより、例えば底面１３や天面１４の周縁側が湾曲等して手前側（前面１１の端縁１１ａ側）に位置するようなことがあっても、前面１１の端縁１１ａの外側に位置して隙間が生じるようなことがなく、綺麗な包装形態を構成できるので良い。このように奥側に配置するため、ブランクシート２では図３（ａ）に示すように、背面１２の短辺の位置を、前面１１の端縁１１ａよりも長手方向の中央側に位置させている。
【００３１】
さらに、底面１３側に脚部１８を設けている。この脚部１８は、前面１１の底面１３側の端縁１１ａと、背面１２の底面１３側の端縁１２ａに、それぞれ２カ所ずつ設ける。各脚部１８の先端部位は、仮想の同一平面上に位置する。この脚部１８を利用して半円筒型カートン１を陳列させるに際し、設置面から底面を浮かした状態で安定して起立させることができる。このように脚部１８を設けるため、ブランクシート２では図３（ａ）に示すように、背面１２の短辺から底面１３側に突出する凹状の切り込み線１９を設ける。これにより当該切り込み線１９で囲まれる領域が、背面１２に設ける脚部１８となる。また、前面１１の端縁１１ａの所定位置に、外側に突出する脚部１８を連続して形成する。そして、ブランクシート２を折り曲げて半円筒型カートン１を製造するに際し、各脚部１８の部分を折り曲げることなく背面１２や前面１１と面一になるように構成する。
【００３２】
また、本実施形態では、底面２１及び天面２２の底辺側に補助フラップ２７を設けている。この補助フラップ２７は、ブランクシート２においてそれぞれ底面２１及び天面２２に繋がった状態としている。そして、組み立てた状態では、背面１２に接触する。
【００３３】
なお、符号３０は接着剤を塗布する領域である。この領域３０に例えば感圧性接着剤を塗布した状態で、ブランクシート２の適宜位置を折り曲げ、当該感圧性接着剤を用いて接触部位を接着一体化する。また、図示するように補助フラップ２７と背面１２との間には接着剤を塗布せず、接した状態としている。このように接着しないことで、例えば、開封時にミシン目１６を破断して領域１７を内部に押し込んだ際に、補助フラップ２７も簡単に折り込まれて天面２２と近接・接触する。さらにこの押し込み処理並びに、それに続く天面１４の背面１２からの分離処理の際に邪魔にならないのでよい。さらにまた、図４に示すように、半円筒型カートン１を開封した際に補助フラップ２７が天面２２と一対となっている場合、開封後に再度蓋を閉じる場合、補助フラップ２７が内箱２０内に入り込み、簡易に天面２２が内箱２０の開口部位を閉じた状態を保持することができるようになるのでよい。なおまた、その他の構成並びに作用効果は、上述した第一実施形態と同様であるため、対応する部材に同一符号を付し、その詳細な説明を省略する。
【００３４】
なお、本実施形態では、底面１３及び天面１４の両方を奥まらすようにしたが、いずれか一方を奥まらせ、他方は第一実施形態と同様に前面１１の端縁に一致するようにしても良い。また、本実施形態では、底面１３及び天面１４の位置を奥まらせる構成と、脚部１８を備えるようにしたが、いずれか一方を採用するようにしても良い。すなわち、第一実施形態の構成に脚部を設けるようにしても良いし、脚部を設けることなく底面１３と天面１４の少なくとも一方を一段奥に下げるようにしても良い。
【００３５】
以上、本発明の様々な側面を実施形態並びに変形例を用いて説明してきたが、これらの実施形態や説明は、本発明の範囲を制限する目的でなされたものではなく、本発明の理解に資するために提供されたものであることを付言しておく。本発明の範囲は、明細書に明示的に説明された構成や製法に限定されるものではなく、本明細書に開示される本発明の様々な側面の組み合わせをも、その範囲に含むものである。本発明のうち、特許を受けようとする構成を、添付の特許請求の範囲に特定したが、現在の処は特許請求の範囲に特定されていない構成であっても、本明細書に開示される構成を、将来的に特許請求する可能性があることを、念のために申し述べる。
【符号の説明】
【００３６】
１  半円筒型カートン
２  ブランクシート
１０  外箱
１１  前面
１１ａ  端縁
１１ｂ  内面
１２  背面
１２ａ  端縁
１３  底面
１４  天面
１６  ミシン目
１８  脚部
２０  内箱
２１  底面
２２  天面
２３  平面部
２４  斜面部
２６  補助フラップ
【図１】
2018114984.tif 000003
【図２】
2018114984.tif 000004
【図３】
2018114984.tif 000005
【図４】
2018114984.tif 000006